(57)【要約】【課題】入浴者と介護者双方の立場を考慮した浴槽であり、介護作業中に湯水の飛散を防止する。【解決手段】空気を注入すると周縁全体が扁平形状より立体形状の囲繞部となって浴槽を形成し、浴槽内部に温水を満たすことができる移動式浴槽。浴槽の頭部側に空気充填式で周縁が膨隆する着脱自在の髪洗い枕を配置し、頭部側と反対側の浴槽底部に排水口を形成するとともに浴槽内部に温度調整可能なヒーター、及びジャグジー具を設け、囲繞部の片側長手方向に沿って着脱自在の水跳ね防止板を設置する。【選択図】図１
2010051772.tif 000002
【特許請求の範囲】
【請求項１】
空気を注入すると周縁全体が扁平形状より立体形状の囲繞部となって浴槽を形成し、浴槽内部に温水を満たすことができる移動式浴槽であって、浴槽の頭部側に空気充填式で周縁が膨隆する着脱自在の髪洗い枕を配置し、頭部側と反対側の浴槽底部に排水口を形成するとともに浴槽内部に温度調整可能なヒーター、及びジャグジー具を設け、囲繞部の片側長手方向に沿って着脱自在の水跳ね防止板を設置することを特徴とする移動式浴槽。
【請求項２】
前記ヒーターが投げ込みヒーターであり、浴槽の適所に配置できるものであることを特徴とする請求項１記載の移動式浴槽。
【請求項３】
水跳ね防止板が空気注入式で、空気抜きをするとコンパクトに折り畳みできることを特徴とする請求項１記載の移動式浴槽。
【請求項４】
浴槽内部に、空気注入式の抱き枕状の袋体を出入自在に配置するものであることを特徴とする請求項１記載の移動式浴槽。
【発明の詳細な説明】
【技術分野】
【０００１】  本発明は随時随所で使用できる移動式浴槽に関する。
【背景技術】
【０００２】  空気を注入して周縁を膨らませ、中央に患者等を横たえて水道水やシャワー水を導入し、付添人・介護人等の手で患者の体を洗う形式の介護用の浴槽・風呂は従来から知られている（例えば特許文献１参照）。この技術は子供が水遊びをするビニールプールと同じでベッドの下のエアマットにエアをいれて患者の周囲が膨らむようにしたというもので、足元に排水口を閉鎖できるようにした磁気式のビニール布を装着することを特徴としている。また空気を入れて寝台のように高くした浴槽もある（例えば特許文献２参照）。この技術は、槽底の周辺に空気充填により膨張・収縮する前後左右の槽壁を備えた浴槽と、槽壁に対し浴湯貯留部の空間を設けて槽底に取り付けられ、空気充填により膨張・収縮する寝台から構成されたことを特徴としている。
【特許文献１】特開２００７−７３５３号公報
【特許文献２】特開２０００−２１７８８３号公報
【発明の開示】
【発明が解決しようとする課題】
【０００３】  体を湯水の中に安定させて寝たきり患者が入浴できるとする技術（特許文献１）では、入浴する患者と介護する側の立場を格別考慮したものとは言い難く、このため患者の入浴感覚を真に満足させたり介護者の作業を効率良く行うことができるといった視点に欠ける憾みがある。【０００４】  空気充填後の浴槽の周辺に形成された槽壁によって全体が所定の高さを備えることとなる技術（特許文献２）の場合、浴槽を例えば高さのあるベッドの上に乗せると一層高さが増すのでそのような場合の使用には適さないのと、槽底が寝台の底部より高位置にあるため入浴者の全身が温水内に十分に浸るだけのスペースの確保が難しいといった懸念があり、また入浴者を高い位置の浴槽に横たえる作業も容易でないという問題がある。【０００５】  本発明はこのような従来技術とは異なり、病人・障害者・高齢者等（以下「入浴者」という）が通常の湯船に入るような気軽さと爽快感を味わうことができ、付添人・介助人等（以下「介護者」という）が入浴者の手助けをして十分に体を洗ったり入浴者も絶えず適温の湯水に体を浸すことができて体調に合わせた入浴状態を保てるように配慮した移動式の浴槽を提供することを目的としている。
【課題を解決するための手段】
【０００６】  上記目的を達成するために本発明は、空気を注入すると周縁全体が扁平形状より立体形状の囲繞部となって浴槽を形成し、浴槽内部に温水を満たすことができる移動式浴槽であって、浴槽の頭部側に空気充填式で周縁が膨隆する着脱自在の髪洗い枕を配置し、頭部側と反対側の浴槽底部に排水口を形成するとともに浴槽内部に温度調整可能なヒーター、及びジャグジー具を設け、囲繞部の片側長手方向に沿って着脱自在の水跳ね防止板を設置することを主旨とする。【０００７】  前記ヒーターが投げ込みヒーターであり、浴槽の適所に配置できるものであることを特徴としている。【０００８】  水跳ね防止板が空気注入式で、空気抜きをするとコンパクトに折り畳みできることを特徴とする。【０００９】  浴槽内部に、空気注入式の抱き枕状の袋体を出入自在に配置するものであることを特徴とする。
【発明の効果】
【００１０】  浴槽内部に髪洗い枕を配置したことによってあたかも美容院で洗髪する要領で入浴者の頭を介護者が容易に洗うことができ、一方入浴者も楽な姿勢で介護者の手に洗髪作業を委ねることができて入浴と洗髪の双方を寝たままで済ませることができる。当然ながら髪洗い枕は反転すると通常の枕として使用できる。【００１１】  入浴中シャワーや水道から水は十分浴槽に満たすことができ、浴槽内の温度調整自在なヒーターにより絶えず温水は適温を保つことができるため水温低下によってカゼを引いたり寒気を感ずるといったことは防止でき、しかも浴槽内部に設置してあるジャグジー具により例えば石けんを泡立たせることで入浴者の全身にマッサージ効果をもたらせて従来にない爽快感を与えることができ、体をくまなく洗浄できて衛生上も極めて効果的であり、更にはジャグジーを止めて排水しながらシャワーを浴びせることで流水による仕上げができ、気分は頗る快適で体調も良好となるバスライフを満喫できる。【００１２】  囲繞部の片側長手方向に沿って水跳ね防止板を設置するため、介護者が該水跳ね防止板と反対側に位置して入浴介助・洗髪をした場合に浴槽内の湯水が外部に飛散することが避けられ、安心して室内やベッド上での入浴介助作業ができる。【００１３】  浴槽、髪洗い枕、水跳ね防止板等は空気注入式であるため空気を抜くと扁平に折り畳みでき、手でつかんでどこにでも移動できる。また浴槽をベッド上へ設置する際、シート状に扁平にしておくとベッド上の患者をそのまゝの状態で横滑りさせるだけで移動でき、その後空気を注入すれば患者は自動的に浴槽内に横たわるので患者の移動に無理な労力を必要とすることがなく入浴させることができる。【００１４】  浴槽内に抱き枕状の袋体を配置すると入浴者の動きを制御でき、入浴者が所望する楽な姿勢を維持できるとともに体位が安定するため介護者の作業も容易となる。
【発明を実施するための最良の形態】
【００１５】  実施形態を図面に基づき説明すると、図１（ａ）・（ｂ）において浴槽１は堅牢で且つ全体が弾力性に富んだビニール・合成ゴムなどの素材で構成され、周囲は十分な高さを持ち丸みを帯びた適度の幅のある囲繞部２としてある。浴槽１は大人が横たわるに相応しい大きさとするため外形は縦が１９０〜２００ｃｍ、横が１０５ｃｍ、高さが３５ｃｍ程度となっている。図は空気注入後の完成状態を示しているが、空気注入前は全体が扁平なシート状物となっていて折り畳みでき、旅行かばんなどに収納可能なコンパクト形状となるので移動に頗る都合がよく、空気注入後は周縁が膨隆して立ち上がることで前記囲繞部２が形成され、浴槽１内に十分な湯水を入れるに相応しいスペースが確保できる。空気はエアポンプを使い、浴槽１下部の空気注入部３から送り込まれる。【００１６】  浴槽１の頭部側（図では左側）の内部に着脱自在の髪洗い枕４が配置される。髪洗い枕４は浴槽１の幅方向にフィットする大きさであり、空気充填式で周縁が膨隆して立ち上がると高さが２０ｃｍ程度となり、中央の首乗せ部４ａを少しく窪ませて形成される。当然ながら底部があるため反転すると通常の枕として使用でき、横幅も十分あるため入浴者が寝返りをうって体位が変わっても頭がずれ落ちる心配はない。また空気を抜けば扁平形となるのでコンパクトに折り畳みできる。【００１７】  排水口５は浴槽１の頭部側すなわち髪洗い枕４とは反対の足側底部に形成され、通常は蓋体により閉塞されている。水はけを良くするために足側底部は頭部側よりも若干低く形成され、この足側の隅部にジャグジー具１０が設置されている。【００１８】  浴槽１には温度調整可能なヒーター６が配置される。ヒーター６は浴槽１の内部に固定することもできるが、所謂投げ込みヒーターを用いると入浴者の体格、体位に応じた邪魔とならない任意の個所に配置できるので好ましい。ヒーター６を設けると浴槽１内に満たされた温水を適温に保って水温低下による入浴者の冷え防止などに役立つ。温水の水位はせいぜい浴槽１の高さの半分程度ですむためヒーター６も１００Ｖで３８℃〜４３℃ほどの調整機能を有する市販のものを利用することができる。【００１９】  ジャグジー具１０は図２のように内部に羽根付きポンプ１１を装備し、下端部の吸込口１２から水を吸い込んで上部に突設した吐出部１３から噴出させるもので、前記吸込口１２にはヘアキャッチャー１４を設けて髪の毛やゴミなどの汚れが入らないようにしてある。ポンプ１１には電源と連なるコード１５の一端が取り付けられ、ポンプ１１の回転により吸込口１２から入った水が吐出部１３から噴出して入浴者に対するマッサージ機能を発揮する。吐出部１３から湯水を勢いよく噴出させるために、吐出部１３基部に、別体のエア供給体１６を接続する。なおジャグジー具１０は前記髪洗い枕４内の使用済み湯水を排出する場合にも使用できる。【００２０】  囲繞部２には片側長手方向に沿って着脱自在の水跳ね防止板７が設置されている。この水跳ね防止板７も髪洗い枕４と同様空気充填式で、充填前は扁平なシート状物でコンパクトに折り畳みでき、空気充填後は適度の厚みを有して囲繞部２上に立設される。なお図示はしないが、囲繞部２と水跳ね防止板７の密着個所に相互が合致する係合具があり、この係合具によって水跳ね防止板７が囲繞部２に沿って固定され、係合具は脱着自在のため水跳ね防止板７は囲繞部２から取り外すことができる。【００２１】  浴槽１内には必要に応じて図３のように抱き枕状の袋体２０を設けておく。この袋体２０は空気注入式で弾力性があり浴槽１の長手方向に沿って配置するもので、袋体２０を浴槽１に入れるとその分浴槽１内の横スペースが狭くなるが入浴者の体位を固定できる。【００２２】  本発明移動式浴槽は通常の湯船とは異なり温水は浴槽１の高さの半分強ほどの水位であるため体全体を湯に沈めるものではなく、西洋式に石けんを泡立てて汚れを洗い流す作業を基本とするが、殆どは介護者の手に委ねられるので体の不自由な入浴者は自分から体を動かす必要はない。すなわち従来の介護風呂はシャワーの温水を入浴者にかけ流す程度であり体の汚れを払拭するだけの作業で終わっていたため入浴の楽しみや心身の癒しが得られるまでには至らないという面があったが、本発明によると頭は髪洗い枕４に乗せ、全身を浴槽１内に横たえてゆったりとした姿勢を保っことができ、それだけでも従来以上の入浴実感が得られる。そして温水の中に体を沈め、泡石けんを温水中に溶かし込み、ジャグジー具１０で泡立てられた湯水によりマッサージ効果が得られ、更に全身に付いた泡をシャワーで丁寧に洗い流すことで十分に汚れの払拭ができる。湯温はヒーター６によって保たれるため入浴者に応じて一定の状態を維持でき、はじめから終わりまで快適な湯浴みが可能である。なお排水の場合は排水口５にホースをつなぎ、モーター利用などで家庭の排水口に処理水を送り込むことができる。【００２３】  体を洗う場合は通常水跳ね防止板７を囲繞部２上に立てるが、当然ながら介護者は図４のように水跳ね防止板７とは反対側に位置する。途中でシャワーなどを使っても飛沫は水跳ね防止板７によって外部へ飛散することはなく、室内やベッド上での介助作業を安心して行うことができる。浴槽１は空気注入前にはシート状物となっているためあらかじめベッド上に敷置することができ、その上に患者を乗せて空気を注入すれば２分ほどで浴槽１が形成されるので寝たきり病人なども無理なく浴槽１内に横たえることができる。【００２４】  作業中必要に応じて前記抱き枕状の袋体２０を浴槽内に配置しておくと、入浴者によっては体の一部を固定したほうが楽な場合があって都合がよい。また介護者にとっても入浴者の体が不安定とならず、作業がしやすくなるといったメリットがある。【００２５】  上記のように本発明は入浴者の立場に立った浴槽であることと、介護者にとっても真に便利な浴槽を提供するものであるが、前記した実施形態における浴槽１の大きさ、ジャグジー具１０の形体などの構成は一例であって、本発明の目的効果を奏する範囲において形状等の任意な変更が可能であり、介護用のみならず緊急時における仮設風呂として、或いは幼児と親の家族風呂などの用途に供することもできるが、これらも本発明の自由な実施範囲に属する。
【図面の簡単な説明】
【００２６】
【図１】（ａ）は浴槽の平面、（ｂ）は側面の説明図である。
【図２】ジャグジー具の説明図である。
【図３】抱き枕状の袋体を入れた浴槽の説明図である。
【図４】介護者の座位置を示す浴槽の説明図である。
【符号の説明】
【００２６】  １  浴槽    ２  囲繞部    ４  髪洗い枕    ５  排水口    ６  ヒーター
７  水跳ね防止板    １０  ジャグジー具    ２０  袋体
【図１】
2010051772.tif 000003
【図２】
2010051772.tif 000004
【図３】
2010051772.tif 000005
【図４】
2010051772.tif 000006